(57)【要約】本発明は、端末機の移動性をサポートするＵＭＴＳのＭＢＭＳを提供するための方法及び装置に関し、より詳しくは、端末が新しく位置するセル内で提供されないサービスを要求することを防止するために、ＵＴＲＡＮが端末に状態情報を通知するための方法及び装置に関する。移動通信ネットワークは、現在提供されている特定ＭＢＭＳにおけるサービス準備状態を端末に通知し、端末は、前記サービス準備状態情報によって動作して、端末の不要な動作及びシグナリングと資源の浪費を最小化することができる。
2006526352.tif 000002
【特許請求の範囲】
【請求項１】
端末が特定サービスに加入して、前記端末の進入時にはサービスを転送していないセルに新しく進入する段階と、
サービスＩＤと、前記サービスＩＤに関連し、かつネットワークが提供する接続要求指示子及び転送状態指示子に関連しているサービス状態情報とを含む制御メッセージを、前記ネットワークから受信する段階と、
前記制御メッセージのサービスＩＤが前記特定サービスのサービスＩＤと一致するかどうかを確認する段階と、
サービス利用不可能状態及びサービス利用可能状態のいずれか１つを認識する段階とを含み、
前記制御メッセージのサービスＩＤが前記特定サービスと一致しない場合、サービス利用不可能状態であると認識して、端末が要求メッセージを転送せず、前記制御メッセージのサービスＩＤが前記特定サービスと一致する場合、サービス利用可能状態であると認識して、端末が要求メッセージを転送することを特徴とする無線通信システムにおけるネットワークとの通信方法。
【請求項２】
前記要求メッセージが、前記サービスに関連していることを特徴とする請求項１に記載の無線通信システムにおけるネットワークとの通信方法。
【請求項３】
前記要求メッセージが、ＲＲＣ接続要求メッセージであることを特徴とする請求項１に記載の無線通信システムにおけるネットワークとの通信方法。
【請求項４】
前記特定サービスが、ＭＢＭＳを含むことを特徴とする請求項１に記載の無線通信システムにおけるネットワークとの通信方法。
【請求項５】
前記制御メッセージが、ＭＢＭＳ通知メッセージであることを特徴とする請求項１に記載の無線通信システムにおけるネットワークとの通信方法。
【請求項６】
前記サービス利用不可能状態が、不在状態であることを特徴とする請求項１に記載の無線通信システムにおけるネットワークとの通信方法。
【請求項７】
前記サービス利用可能状態が、準備状態及び無転送状態のいずれか１つであることを特徴とする請求項１に記載の無線通信システムにおけるネットワークとの通信方法。
【請求項８】
前記端末が、以前のセルから移動して前記セルに新しく進入することを特徴とする請求項１に記載の無線通信システムにおけるネットワークとの通信方法。
【請求項９】
前記端末が、電源をオンして前記セルに新しく進入することを特徴とする請求項１に記載の無線通信システムにおけるネットワークとの通信方法。
【請求項１０】
端末が特定サービスに加入してセルに新しく進入する段階と、
サービスＩＤと、前記サービスＩＤに関連し、かつネットワークが提供する接続要求指示子及び転送状態指示子に関連しているサービス状態情報とを含む制御メッセージを、前記ネットワークから受信する段階と、
前記制御メッセージのサービスＩＤが前記特定サービスと一致するかどうかを確認する段階と、
不在状態であると認識するか、又は前記サービス状態情報によって動作する段階とを含み、
前記制御メッセージのサービスＩＤが前記特定サービスと一致しない場合、不在状態であると認識して、端末が要求メッセージを転送せず、前記制御メッセージのサービスＩＤが前記特定サービスと一致する場合、端末が前記サービス状態情報によって動作することを特徴とする無線通信システムにおけるネットワークとの通信方法。
【請求項１１】
前記サービス状態情報が、準備状態、ポイントツーポイント状態、ポイントツーマルチポイント状態、及び無転送状態のいずれか１つを含むことを特徴とする請求項１０に記載の無線通信システムにおけるネットワークとの通信方法。
【請求項１２】
前記制御メッセージのサービスＩＤが前記特定サービスと一致し、要求メッセージを転送する段階又は無線ベアラを設定する段階のいずれか１つをさらに含み、前記サービス状態情報が無転送状態及び準備状態のいずれか１つを含む場合、要求メッセージを転送し、前記サービス状態情報がポイントツーポイント状態及びポイントツーマルチポイント状態を含む場合、無線ベアラを設定することを特徴とする請求項１１に記載の無線通信システムにおけるネットワークとの通信方法。
【請求項１３】
前記要求メッセージが、前記サービスに関連していることを特徴とする請求項１２に記載の無線通信システムにおけるネットワークとの通信方法。
【請求項１４】
前記要求メッセージが、ＲＲＣ接続要求メッセージであることを特徴とする請求項１２に記載の無線通信システムにおけるネットワークとの通信方法。
【請求項１５】
前記無線ベアラの設定が、前記端末と前記ネットワーク間のＲＲＣ接続を含むことを特徴とする請求項１２に記載の無線通信システムにおけるネットワークとの通信方法。
【請求項１６】
前記サービス状態情報がポイントツーマルチポイント状態を含む場合、ポイントツーマルチポイント無線ベアラを設定し、前記サービス状態情報がポイントツーポイント状態を含む場合、ポイントツーポイント無線ベアラを設定することを特徴とする請求項１２に記載の無線通信システムにおけるネットワークとの通信方法。
【請求項１７】
前記特定サービスが、ＭＢＭＳを含むことを特徴とする請求項１０に記載の無線通信システムにおけるネットワークとの通信方法。
【請求項１８】
前記制御メッセージが、ＭＢＭＳ通知メッセージであることを特徴とする請求項１０に記載の無線通信システムにおけるネットワークとの通信方法。
【請求項１９】
前記端末が、以前のセルから移動して前記セルに新しく進入することを特徴とする請求項１０に記載の無線通信システムにおけるネットワークとの通信方法。
【請求項２０】
前記端末が、電源をオンして前記セルに新しく進入することを特徴とする請求項１０に記載の無線通信システムにおけるネットワークとの通信方法。
【請求項２１】
端末が特定サービスに加入してセルに新しく進入する段階と、
前記セル内で提供するサービスの識別情報であるサービスＩＤ、前記提供されたサービスが転送中であるか否かを示す転送状態指示子、及び集計過程が行われているか否かを示す集計状態を含む制御メッセージを、ネットワークから受信する段階と、
前記制御メッセージのサービスＩＤが前記特定サービスと一致するかどうかを確認する段階と、
第１の状態、第２の状態、及び第３の状態のいずれか１つであると認識する段階とを含み、
前記制御メッセージのサービスＩＤが前記特定サービスと一致しない場合、前記第１の状態であると認識して、端末が要求メッセージを転送せず、前記制御メッセージのサービスＩＤが前記特定サービスと一致する場合、前記第２の状態及び前記第３の状態のいずれか１つであると認識して、端末が要求メッセージを転送することを特徴とする無線通信システムにおけるネットワークとの通信方法。
【請求項２２】
前記第１の状態が、不在状態を含むことを特徴とする請求項２１に記載の無線通信システムにおけるネットワークとの通信方法。
【請求項２３】
前記第２の状態が、準備状態を含むことを特徴とする請求項２１に記載の無線通信システムにおけるネットワークとの通信方法。
【請求項２４】
前記第３の状態が、前記転送状態指示子が示す無転送状態、ポイントツーポイント状態、及びポイントツーマルチポイント状態のいずれか１つを含むことを特徴とする請求項２１に記載の無線通信システムにおけるネットワークとの通信方法。
【請求項２５】
前記制御メッセージのサービスＩＤが、前記特定サービス、及び集計過程が行われていることを示す集計指示子と前記サービスが転送中でないことを示す転送状態指示子のいずれか１つと一致すると、前記端末が接続過程を開始することを特徴とする請求項２１に記載の無線通信システムにおけるネットワークとの通信方法。
【請求項２６】
前記制御メッセージのサービスＩＤが、前記特定サービス、及び前記サービスが転送中であることを示す転送状態指示子と一致すると、前記第３の状態であると認識し、無線ベアラを設定することにより前記端末が接続過程を開始することを特徴とする請求項２１に記載の無線通信システムにおけるネットワークとの通信方法。
【請求項２７】
前記設定された無線ベアラが、前記転送状態指示子によって、ポイントツーポイント無線ベアラ及びポイントツーマルチポイント無線ベアラのいずれか１つであることを特徴とする請求項２６に記載の無線通信システムにおけるネットワークとの通信方法。
【請求項２８】
コアネットワークからサービスセッション開始指示を受信する段階と、
１つのセル内で現在サービスに加入している端末の数を判断する段階と、
サービスＩＤとネットワークが提供する接続要求指示子及び転送状態指示子に関連しているサービス状態情報とを含む制御メッセージを転送する段階とを含み、
前記サービス状態情報は、現在サービスに加入している端末が存在しない場合、少なくとも１つの端末に接続要求を要求することを特徴とする無線通信システムにおける端末との通信方法。
【請求項２９】
前記転送状態指示子が、現在サービスに加入している端末が少なくとも１つ存在する場合、設定された無線ベアラの種類を示すことを特徴とする請求項２８に記載の無線通信システムにおける端末との通信方法。
【請求項３０】
前記転送状態指示子が、現在サービスに加入している端末の数によって、ポイントツーポイント無線ベアラ及びポイントツーマルチポイント無線ベアラのいずれか１つを示すことを特徴とする請求項２９に記載の無線通信システムにおける端末との通信方法。
【請求項３１】
前記コアネットワークからサービスセッション中止指示を受信する段階と、
前記サービスＩＤと前記サービス状態情報とを含む前記制御メッセージの転送を中止する段階と、
をさらに含むことを特徴とする請求項２８に記載の無線通信システムにおける端末との通信方法。
【請求項３２】
前記サービス状態情報が、無転送状態及び準備状態のいずれか１つを含むことを特徴とする請求項２８に記載の無線通信システムにおける端末との通信方法。
【請求項３３】
前記サービスが、ＭＢＭＳを含むことを特徴とする請求項２８に記載の無線通信システムにおける端末との通信方法。
【請求項３４】
前記制御メッセージが、ＭＢＭＳ通知メッセージであることを特徴とする請求項２８に記載の無線通信システムにおける端末との通信方法。
【請求項３５】
前記サービスに加入して前記セル内に新しく進入した端末が少なくとも１つ存在するかどうかを検出する段階と、
サービスＩＤとネットワークが提供する接続要求指示子及び転送状態指示子に関連しているサービス状態情報とを含む制御メッセージを転送する段階とをさらに含み、
前記サービス状態情報が、現在サービスに加入している端末がない場合、新しく進入した端末に接続要求を求めるものであり、前記転送状態指示子が、現在サービスに加入している端末が少なくとも１つ存在する場合、前記新しく進入した端末との無線ベアラの種類を示すことを特徴とする請求項２８に記載の無線通信システムにおける端末との通信方法。
【請求項３６】
１つのセル内に新しく進入するときに、サービスＩＤと、ネットワークが提供するサービスに関連し、かつ前記ネットワークが提供する接続要求指示子及び転送状態指示子に関連しているサービス状態情報とを含む制御メッセージを、前記ネットワークから受信するための受信器と、
前記ネットワークに要求メッセージを転送するための送信器と、
ユーザに情報を通知するためのディスプレイと、
ユーザサービスとネットワーク接続に関する情報を保存するためのメモリ部と、
前記制御メッセージのサービスＩＤが前記特定サービスと一致するかどうか、及び不在状態であると認識する場合と前記サービス状態情報によって動作する場合とのいずれであるかを判断する処理部とを含み、
前記制御メッセージのサービスＩＤが前記特定サービスと一致しない場合、前記不在状態であると認識して、端末が要求メッセージを転送せず、前記制御メッセージのサービスＩＤが前記特定サービスと一致する場合、端末が前記サービス状態情報によって動作することを特徴とする移動通信システムにおけるネットワークとの通信のための端末。
【請求項３７】
前記サービス状態情報が、準備状態、ポイントツーポイント状態、ポイントツーマルチポイント状態、及び無転送状態のいずれか１つを含むことを特徴とする請求項３６に記載の移動通信システムにおけるネットワークとの通信のための端末。
【請求項３８】
前記処理部は、前記制御メッセージのサービスＩＤが前記特定サービスと一致するかどうか、及び要求メッセージを転送する場合と無線ベアラを設定する場合とのいずれであるかを判断し、前記サービス状態情報を推定するために備えられ、前記サービス状態情報が、無転送状態及び準備状態のいずれか１つを含む場合、要求メッセージを転送し、前記サービス状態情報が、ポイントツーポイント状態及びポイントツーマルチポイント状態のいずれか１つを含む場合、無線ベアラを設定することを特徴とする請求項３６に記載の移動通信システムにおけるネットワークとの通信のための端末。
【請求項３９】
前記処理部が、前記端末と前記ネットワーク間のＲＲＣ接続を設定するためにさらに備えられることを特徴とする請求項３６に記載の移動通信システムにおけるネットワークとの通信のための端末。
【請求項４０】
前記処理部は、前記サービス状態情報がポイントツーマルチポイント状態を含む場合、ポイントツーマルチポイント無線ベアラを設定し、前記サービス状態情報がポイントツーポイント状態を含む場合、ポイントツーポイント無線ベアラを設定することを特徴とする請求項３８に記載の移動通信システムにおけるネットワークとの通信のための端末。
【請求項４１】
前記特定サービスが、ＭＢＭＳを含むことを特徴とする請求項３６に記載の移動通信システムにおけるネットワークとの通信のための端末。
【請求項４２】
前記要求メッセージが、前記サービスに関連していることを特徴とする請求項３６に記載の移動通信システムにおけるネットワークとの通信のための端末。
【請求項４３】
前記要求メッセージが、ＲＲＣ接続要求メッセージであることを特徴とする請求項３６に記載の移動通信システムにおけるネットワークとの通信のための端末。
【請求項４４】
前記制御メッセージが、ＭＢＭＳ通知メッセージであることを特徴とする請求項３６に記載の移動通信システムにおけるネットワークとの通信のための端末。
【請求項４５】
サービスに加入している複数の端末から接続要求を受信する受信器と、
複数の端末に制御メッセージを転送する送信器と、
ユーザサービス及びネットワーク接続に関する情報を保存する保存部と、
コアネットワークからサービスセッション開始指示を受信し、現在サービスに加入している１つのセル内の端末の数を判断し、サービスＩＤとネットワークが提供する接続要求指示子及び転送状態指示子に関連しているサービス状態情報とを含む制御メッセージを送るために備えられる制御部とを含み、
現在サービスに加入している端末が存在しない場合、前記サービス状態情報が少なくとも１つの端末に接続要求を求めることを特徴とする移動通信システムにおける複数の端末との無線通信のためのネットワーク。
【請求項４６】
前記制御部は、現在サービスに加入している端末が少なくとも１つ存在する場合、設定された無線ベアラの種類を示すサービス状態情報を含む制御メッセージを転送するために備えられることを特徴とする請求項４５に記載の移動通信システムにおける複数の端末との無線通信のためのネットワーク。
【請求項４７】
前記制御部は、
前記コアネットワークからサービスセッション中止指示を受信し、
前記サービスＩＤと前記サービス状態情報とを含む制御メッセージの転送を中止するためにさらに備えられることを特徴とする請求項４５に記載の移動通信システムにおける複数の端末との無線通信のためのネットワーク。
【請求項４８】
前記サービス状態情報が、ポイントツーポイント状態、ポイントツーマルチポイント状態、無転送状態、及び準備状態のいずれか１つを含むことを特徴とする請求項４５に記載の移動通信システムにおける複数の端末との無線通信のためのネットワーク。
【請求項４９】
前記サービスが、ＭＢＭＳを含むことを特徴とする請求項４５に記載の移動通信システムにおける複数の端末との無線通信のためのネットワーク。
【請求項５０】
前記制御部が、少なくとも１つの端末とネットワーク間のＲＲＣ接続を設定するためにさらに備えられることを特徴とする請求項４５に記載の移動通信システムにおける複数の端末との無線通信のためのネットワーク。
【請求項５１】
前記制御メッセージが、ＭＢＭＳ通知メッセージであることを特徴とする請求項４５に記載の移動通信システムにおける複数の端末との無線通信のためのネットワーク。
【請求項５２】
前記制御部は、
前記サービスに加入して前記セル内に新しく進入した端末が少なくとも１つ存在するかどうかを検出し、
現在サービスに加入している他の端末が存在しない場合、前記新しく進入した端末に接続要求を求める前記サービス状態情報と、現在サービスに加入している端末が少なくとも１つ存在する場合、前記新しく進入した端末と設定された無線ベアラの種類を示す前記転送状態指示子とを含む制御メッセージを転送するためにさらに備えられることを特徴とする請求項４５に記載の移動通信システムにおける複数の端末との無線通信のためのネットワーク。
【発明の詳細な説明】
【技術分野】
【０００１】
本発明は、端末機の移動性をサポートするＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）のＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）を提供するための方法及び装置に関し、より詳しくは、端末機が提供されないサービスを要求することを防止するために前記端末機にＭＢＭＳの状態情報を通知するための方法及び装置に関する。
【背景技術】
【０００２】
ＵＭＴＳは、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術をベースとしてより向上した移動通信サービスの提供を目標とする。
【０００３】
ＵＭＴＳの標準化作業のために、１９９８年１２月に欧州のＥＴＳＩ、日本のＡＲＩＢ／ＴＴＣ、米国のＴ１、及び韓国のＴＴＡなどは、第３世代移動体通信システムの標準化プロジェクト（Ｔｈｉｒｄ  Ｇｅｎｅｒａｔｉｏｎ  Ｐａｒｔｎｅｒｓｈｉｐ  Ｐｒｏｊｅｃｔ；３ＧＰＰ）というプロジェクトを構成し、現在までＵＭＴＳの細部的な標準仕様（ｓｐｅｃｉｆｉｃａｔｉｏｎ）を作成中である。３ＧＰＰでは、ＵＭＴＳの迅速かつ効率的な技術開発のために、ネットワーク構成要素とこれらの動作の独立性を考慮して、ＵＭＴＳの標準化作業を５つの技術仕様グループ（Ｔｅｃｈｎｉｃａｌ  Ｓｐｅｃｉｆｉｃａｔｉｏｎ  Ｇｒｏｕｐｓ；ＴＳＧ）に分けて進めている。
【０００４】
各ＴＳＧは、関連エリア内で標準規格の開発、承認、及びその管理を担当するが、そのうち、無線接続ネットワーク（Ｒａｄｉｏ  Ａｃｃｅｓｓ  Ｎｅｔｗｏｒｋ；ＲＡＮ）グループ（ＴＳＧ  ＲＡＮ）は、ＵＭＴＳにおいてＷＣＤＭＡ接続技術をサポートするための新しい無線接続ネットワークであるＵＭＴＳ無線ネットワーク（ＵＭＴＳ  Ｔｅｒｒｅｓｔｒｉａｌ  Ｒａｄｉｏ  Ａｃｃｅｓｓ  Ｎｅｔｗｏｒｋ；ＵＴＲＡＮ）の機能、要求事項、及びインターフェースの規格を開発する。
【０００５】
図１は、一般的な３ＧＰＰ  ＵＭＴＳネットワークにおける基本構造を示す図である。図１に示すように、ＵＭＴＳは、端末又はユーザ装置（Ｕｓｅｒ  Ｅｑｕｉｐｍｅｎｔ；ＵＥ）１０、ＵＴＲＡＮ２０、及びコアネットワーク３０で構成される。
【０００６】
ＵＴＲＡＮ２０は、１つ以上の無線ネットワークサブシステム（Ｒａｄｉｏ  Ｎｅｔｗｏｒｋ  Ｓｕｂ−ｓｙｓｔｅｍｓ；ＲＮＳ）２５で構成され、各ＲＮＳ２５は、１つの無線ネットワーク制御装置（Ｒａｄｉｏ  Ｎｅｔｗｏｒｋ  Ｃｏｎｔｒｏｌｌｅｒ；ＲＮＣ）２３と、該ＲＮＣ２３により管理される１つ以上のＮｏｄｅ  Ｂ（基地局）２１とから構成される。前記ＲＮＣ２３は、無線資源の割り当て及び管理を担当し、コアネットワーク３０とのアクセスポイント（Ａｃｃｅｓｓ  Ｐｏｉｎｔ）の役割を果たす。
【０００７】
前記Ｎｏｄｅ  Ｂ２１は、アップリンクを介して端末１０の物理層から転送される情報を受信し、ダウンリンクを介して端末にデータを転送する。前記Ｎｏｄｅ  Ｂ２１は、端末へのＵＴＲＡＮのアクセスポイントの役割を果たす。
【０００８】
前記ＵＴＲＡＮ２０は、端末１０とコアネットワーク３０間の通話のために、無線接続ベアラ（Ｒａｄｉｏ  Ａｃｃｅｓｓ  Ｂｅａｒｅｒ；ＲＡＢ）を構成して維持する。前記コアネットワーク３０は、終端間のサービス品質（Ｑｕａｌｉｔｙ  ｏｆ  Ｓｅｒｖｉｃｅ；ＱｏＳ）要求事項をＲＡＢに要求し、該当ＲＡＢは、コアネットワーク３０が設定したＱｏＳ要求事項をサポートする。従って、ＵＴＲＡＮ２０は、ＲＡＢを構成して維持することにより、終端間のＱｏＳ要求事項を満たすことができる。
【０００９】
特定端末１０に提供されるサービスは、回線交換（ｃｉｒｃｕｉｔ  ｓｗｉｔｃｈｅｄ；ＣＳ）サービスとパケット交換（ｐａｃｋｅｔ  ｓｗｉｔｃｈｅｄ；ＰＳ）サービスとに大別されるが、例えば、一般的な音声電話サービスは回線交換サービスに属し、インターネット接続によるウェブブラウジングサービスはパケット交換サービスに分類される。
【００１０】
回線交換サービスをサポートする場合、ＲＮＣ２３は、コアネットワーク３０の移動交換局（Ｍｏｂｉｌｅ  Ｓｗｉｔｃｈｉｎｇ  Ｃｅｎｔｅｒ；ＭＳＣ）３１に接続され、前記ＭＳＣ３１は、他のネットワークとの接続を管理するゲートウェイ移動交換局（Ｇａｔｅｗａｙ  Ｍｏｂｉｌｅ  Ｓｗｉｔｃｈｉｎｇ  Ｃｅｎｔｅｒ；ＧＭＳＣ）３３に接続される。また、パケット交換サービスをサポートする場合、ＲＮＣ２３は、コアネットワーク３０のＳＧＳＮ（Ｓｅｒｖｉｎｇ  ＧＰＲＳ  Ｓｕｐｐｏｒｔ  Ｎｏｄｅ）３５とＧＧＳＮ３７に接続される。前記ＳＧＳＮ３５は、ＲＮＣ２３とのパケット通信をサポートし、ＧＧＳＮ３７は、インターネットのような他のパケット交換ネットワークとの接続を管理する。
【００１１】
図２は３ＧＰＰ無線接続ネットワーク標準に準拠した前記端末１０と前記ＵＴＲＡＮ２０間の無線インターフェースプロトコルの構造を示す。図２に示すように、前記無線インターフェースプロトコルは、垂直的に物理層、データリンク層、及びネットワーク層とからなり、水平的にはユーザのデータ情報を転送するためのユーザプレーン（Ｕｓｅｒ  Ｐｌａｎｅ）と制御情報を転送するためのコントロールプレーン（Ｃｏｎｔｒｏｌ  Ｐｌａｎｅ）とに区分される。
【００１２】
ユーザプレーンは、音声やＩＰ（Ｉｎｔｅｒｎｅｔ  Ｐｒｏｔｏｃｏｌ）パケットの転送などのようにユーザのトラフィック情報を管理する領域であり、コントロールプレーンは、ネットワークのインターフェースや呼の維持及び管理などの制御情報を管理する領域である。
【００１３】
図２のプロトコル層は、開放型システム間相互接続（Ｏｐｅｎ  Ｓｙｓｔｅｍ  Ｉｎｔｅｒｃｏｎｎｅｃｔｉｏｎ；ＯＳＩ）基本参照モデルの下位３層をベースとして、第１層Ｌ１、第２層Ｌ２、及び第３層Ｌ３に区分される。
【００１４】
前記物理層である第１層Ｌ１は、上位層に多様な無線伝送技術により情報転送サービスを提供する。前記物理層は、転送チャネルを介して上位層であるメディアアクセス制御（Ｍｅｄｉｕｍ  Ａｃｃｅｓｓ  Ｃｏｎｔｒｏｌ；ＭＡＣ）層と接続され、前記ＭＡＣ層と物理層とは、前記転送チャネルでデータを相互に交換する。
【００１５】
前記第２層Ｌ２には、ＭＡＣ層、ＲＬＣ（Ｒａｄｉｏ  Ｌｉｎｋ  Ｃｏｎｔｒｏｌ）層、ＢＭＣ（Ｂｒｏａｄｃａｓｔ／Ｍｕｌｔｉｃａｓｔ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層が含まれる。
【００１６】
前記ＭＡＣ層は、論理チャネルと転送チャネル間のマッピングを管理し、無線資源の割り当て及び再割り当てのためにＭＡＣパラメータを割り当てる。前記ＭＡＣ層は、論理チャネルを介して上位層であるＲＬＣ層と接続される。
【００１７】
転送された情報の種類によって多様な論理チャネルが提供される。一般に、コントロールプレーンの情報は制御チャネルで転送され、ユーザプレーンの情報はトラフィックチャネルで転送される。
【００１８】
論理チャネルは、共有されているか否かによって、共通チャネル又は専用チャネルであり得る。論理チャネルには、専用トラフィックチャネル（ＤＴＣＨ）、専用制御チャネル（ＤＣＣＨ）、共通トラフィックチャネル（ＣＴＣＨ）、共通制御チャネル（ＣＣＣＨ）、ブロードキャスト制御チャネル（ＢＣＣＨ）、及びページング制御チャネル（ＰＣＣＨ）が含まれる。前記ＢＣＣＨは、端末１０がシステムに接続するために使用した情報を含む情報を提供する。前記ＰＣＣＨは、ＵＴＲＡＮ２０を端末１０に接続するために使用される。
【００１９】
前記ＭＡＣ層は、転送チャネルを介して前記物理層と接続され、管理する転送チャネルの種類によって、ＭＡＣ−ｂサブ層、ＭＡＣ−ｄサブ層、ＭＡＣ−ｃ／ｓｈサブ層、及びＭＡＣ−ｈｓサブ層に区分される。前記ＭＡＣ−ｂサブ層は、システム情報のブロードキャストを担当する転送チャネルであるブロードキャストチャネル（Ｂｒｏａｄｃａｓｔ  Ｃｈａｎｎｅｌ；ＢＣＨ）を管理する。前記ＭＡＣ−ｃ／ｓｈサブ層は、複数の端末が共有するフォワードアクセスチャネル（Ｆｏｒｗａｒｄ  Ａｃｃｅｓｓ  Ｃｈａｎｎｅｌ；ＦＡＣＨ）又はダウンリンク共有チャネル（Ｄｏｗｎｌｉｎｋ  Ｓｈａｒｅｄ  Ｃｈａｎｎｅｌ；ＤＳＣＨ）のような共通転送チャネルを管理する。前記ＭＡＣ−ｄサブ層は、特定端末１０のための専用転送チャネルである個別チャネル（ＤＣＨ）を管理する。従って、前記ＭＡＣ−ｄサブ層は、該当端末を管理するＳＲＮＣ（Ｓｅｒｖｉｎｇ  ＲＮＣ）に位置し、各端末には、１つのＭＡＣ−ｄサブ層が存在する。
【００２０】
前記ＲＬＣ層は、信頼できるデータ転送をサポートし、上位層から送られた複数のＲＬＣ  ＳＤＵ（ＲＬＣ  Ｓｅｒｖｉｃｅ  Ｄａｔａ  Ｕｎｉｔ）の分割及び連結を行う。上位層から複数のＲＬＣ  ＳＤＵを受信すると、前記ＲＬＣ層は、処理能力によって適した方式で各ＲＬＣ  ＳＤＵのサイズを調節してヘッダ情報を追加することにより、データユニットを作成することができる。ＰＤＵ（Ｐｒｏｔｏｃｏｌ  Ｄａｔａ  Ｕｎｉｔ）と呼ばれる前記データユニットは、前記ＭＡＣ層に論理チャネルを介して転送される。前記ＲＬＣ層は、ＲＬＣ  ＳＤＵ及び／又はＲＬＣ  ＰＤＵを保存するためのＲＬＣバッファを含む。
【００２１】
前記ＢＭＣ層は、コアネットワークから転送されたコールブロードキャスト（Ｃａｌｌ  Ｂｒｏａｄｃａｓｔ；ＣＢ）メッセージをスケジューリングし、特定セル又は各セルに位置する端末１０に前記ＣＢメッセージをブロードキャストする。
【００２２】
前記ＰＤＣＰ層は、前記ＲＬＣ層の上位に位置して、相対的に少ない帯域幅を有する無線インターフェースで、ＩＰｖ４又はＩＰｖ６のようなネットワークプロトコルデータを効果的に転送するために使用される。このために、前記ＰＤＣＰ層は、有線ネットワークで使用される不要な制御情報を減少させる。このような機能はヘッダ圧縮と呼ばれる。
【００２３】
前記第３層の最下部に位置する前記ＲＲＣ層は、コントロールプレーンでのみ定義される。前記ＲＲＣ層は、無線ベアラ（ＲＢ）の設定、再設定、及び解除又は取消に関連した転送チャネル及び物理チャネルの制御を担当する。前記ＲＢは、端末１０とＵＴＲＡＮ２０間のデータ転送のために、第２層Ｌ２が提供するサービスを示す。一般に、ＲＢの設定とは、特定データサービスを提供するために要求されるプロトコル層及びチャネルの特性を規定し、それぞれの具体的なパラメータ及び動作方法を設定するための過程を意味する。
【００２４】
ＲＲＣ状態とは、端末１０のＲＲＣとＵＴＲＡＮ２０のＲＲＣの間に論理的接続が存在するかどうかを意味する。前記端末１０は、論理的接続が存在すると、ＲＲＣ接続状態（ＲＲＣ  ｃｏｎｎｅｃｔｅｄ  ｓｔａｔｅ）であり、論理的接続が存在しないと、休止状態（ｉｄｌｅ  ｓｔａｔｅ）である。
【００２５】
ＲＲＣ接続は、ＲＲＣ接続状態の端末１０との間に存在するため、ＵＴＲＡＮ２０は、セルユニット、例えば、ＲＲＣ接続状態の端末が存在するセル内に特定端末が存在するかどうかを判断することができる。このように、前記端末１０を効果的に制御することができる。
【００２６】
それに対して、ＵＴＲＡＮ２０は、休止状態の端末が存在するかどうかは判断することができない。休止状態の端末１０が存在するかどうかは、コアネットワークにより判断されるが、コアネットワークは、端末１０がセルより大きい領域、例えば、ロケーション又はルーティングエリア内に存在するかどうかを判断することができる。従って、休止状態の端末１０が大きい領域内に存在すると判断することができ、音声やデータのような移動通信サービスを受信するために、休止状態の端末は、ＲＲＣ接続状態に移行又は変化しなければならない。
【００２７】
３ＧＰＰシステムにおいては、Ｒｅｌｅａｓｅ６の新しいサービス種類であるＭＢＭＳを提供することができる。３ＧＰＰ  ＴＳＧ  ＳＡ（Ｓｅｒｖｉｃｅ  ａｎｄ  Ｓｙｓｔｅｍ  Ａｓｐｅｃｔ）は、多様なネットワーク構成要素とＭＢＭＳを提供するために必要な機能について定義している。従来、Ｒｅｌｅａｓｅ９９で提供していたセルブロードキャストサービスは、テキスト形式のショートメッセージを所定エリアにブロードキャストするサービスに限定されていたが、Ｒｅｌｅａｓｅ６で提供するＭＢＭＳは、マルチメディアデータをブロードキャストするだけでなく、マルチメディアデータを該当サービスに加入した端末１０にマルチキャストする、より発展したサービスである。
【００２８】
ＭＢＭＳは、下り専用サービスであって、共通又は専用の下りチャネルを使用して、複数の端末１０にストリーミング又はバックグラウンドサービスを提供する。前記ＭＢＭＳは、ブロードキャストモードとマルチキャストモードとに区分される。
【００２９】
ＭＢＭＳブロードキャストモードは、ブロードキャストエリア（Ｂｒｏａｄｃａｓｔ  Ａｒｅａ）の全てのユーザにマルチメディアデータを容易に転送するサービスであるのに対し、ＭＢＭＳマルチキャストモードは、マルチキャストエリア（Ｍｕｌｔｉｃａｓｔ  Ａｒｅａ）の特定ユーザグループにのみマルチメディアデータを転送するサービスである。ここで、前記ブロードキャストエリアは、ブロードキャストサービスが可能な領域を意味し、前記マルチキャストエリアは、マルチキャストサービスが可能な領域を意味する。
【００３０】
図３は、マルチキャストモードを用いて、サービス１と呼ばれる特定ＭＢＭＳを提供するための過程を示す図である。前記ＭＢＭＳを受信しようとするユーザ（例えば、ＵＥ１）は、まず、端末でネットワークが提供するサービス案内（Ｓｅｒｖｉｃｅ  Ａｎｎｏｕｎｃｅｍｅｎｔ）を受信する。ここで、サービス案内とは、提供されるサービスのリストと関連情報を端末に通知することをいう。また、ユーザは、ネットワークが提供するサービス通知（Ｓｅｒｖｉｃｅ  Ｎｏｔｉｆｉｃａｔｉｏｎ）を受信する。ここで、サービス通知とは、転送されるブロードキャストデータに関する情報を端末に通知することをいう。
【００３１】
また、前記マルチキャストモードのＭＢＭＳを受信しようとするユーザは、マルチキャストサブスクリプショングループ（Ｍｕｌｔｉｃａｓｔ  Ｓｕｂｓｃｒｉｐｔｉｏｎ  Ｇｒｏｕｐ）に加入しなければならない。マルチキャストサブスクリプショングループとは、加入手続きを経たユーザの集団を意味する。マルチキャストサブスクリプショングループに加入したユーザは、特定マルチキャストサービスを受信するために、マルチキャストグループ、即ち、特定マルチキャストサービスを受信するユーザ集団に参加することができる。マルチキャストグループへの参加は、ＭＢＭＳマルチキャストアクティベーション（Ｍｕｌｔｉｃａｓｔ  Ａｃｔｉｖａｔｉｏｎ）とも呼ばれ、特定マルチキャストサービスを受信しようと集まったユーザがマルチキャストグループに入ることをいう。従って、ユーザは、ＭＢＭＳマルチキャストアクティベーションと呼ばれるマルチキャストグループへの参加により、特定マルチキャストデータを受信することができる。各端末１０は、マルチキャストサブスクリプショングループに個人的に加入することができ、データの転送前、転送中、又は転送後のいつでもマルチキャストグループに参加又は脱退することができる。
【００３２】
特定ＭＢＭＳの実行中に、そのサービスの少なくとも１つ以上のセッションが順に発生し得る。コアネットワーク３０は、特定ＭＢＭＳのために転送されるデータがＭＢＭＳデータソースから発生すると、ＲＮＣ２３にセッション開始を指示し、特定ＭＢＭＳのために転送されるデータがないと、ＲＮＣ２３にセッション中止を指示する。
【００３３】
セッション開始からセッション中止までの間、前記特定ＭＢＭＳのためのデータの転送が行われる。前記ＭＢＭＳのためのマルチキャストグループに参加した端末１０のみが前記データの転送中にデータを受信することができる。
【００３４】
セッション開始過程で、コアネットワーク３０からサービス開始命令を受信したＵＴＲＡＮ２０は、端末１０にＭＢＭＳ通知（ｎｏｔｉｆｉｃａｔｉｏｎ）を転送する。前記ＭＢＭＳ通知は、ＵＴＲＡＮ２０が端末１０に特定セル内の特定ＭＢＭＳのためのデータ転送が迫っていることを通知するためのものである。
【００３５】
ＵＴＲＡＮ２０は、前記ＭＢＭＳ通知過程により、特定セル内で特定ＭＢＭＳを受信しようとする端末１０の数を把握するための集計（Ｃｏｕｎｔｉｎｇ）過程を行うことができる。前記集計過程により、特定ＭＢＭＳを提供するための無線ベアラを、ポイントツーマルチポイント（Ｐｏｉｎｔ−ｔｏ−ｍｕｌｔｉｐｏｉｎｔ）に設定するか、ポイントツーポイント（Ｐｏｉｎｔ−ｔｏ−ｐｏｉｎｔ）に設定するかを判断する。
【００３６】
前記ＭＢＭＳ無線ベアラを選択するために、ＵＴＲＡＮ２０は、内部的に閾値を設定する。前記集計機能を行った後、該当セル内に存在する端末１０の数が閾値より小さいと、ＵＴＲＡＮ２０は、ポイントツーポイントＭＢＭＳ無線ベアラを設定し、前記該当セル内に存在する端末１０の数が閾値より大きいか等しいと、ポイントツーマルチポイントＭＢＭＳ無線ベアラを設定する。
【００３７】
特定サービスにポイントツーポイント無線ベアラが設定された場合、該当サービスを受信しようとする端末１０は、全てＲＲＣ接続状態となる。しかしながら、特定サービスにポイントツーマルチポイント無線ベアラが設定された場合、該当サービスを受信しようとする端末１０が全てＲＲＣ接続状態である必要はなく、ＲＲＣ休止状態の端末も、前記ポイントツーマルチポイント無線ベアラを使用して該当サービスを受信することができる。
【００３８】
従来、特定サービスにポイントツーマルチポイント無線ベアラが設定された場合、ＵＴＲＡＮ２０は、無線資源管理状態によって、幾つかの端末１０はＲＲＣ接続状態にあるように、残りの端末１０は休止状態にあるように要求する。例えば、ＵＴＲＡＮ２０が特定サービスを受信しようとする端末１０からＲＲＣ接続要求メッセージを受信した場合、ＲＲＣ接続状態での該当サービスの受信を制御するために、無線資源管理状態によって、制限された数の端末にＲＲＣ接続設定メッセージを転送する。ＵＴＲＡＮ２０が残りの端末１０にＲＲＣ接続拒否メッセージを転送することにより、該当端末は休止状態で該当サービスを受信することができる。
【００３９】
図４は従来技術によるＲＲＣ接続が正常に設定された場合を示す信号流れ図である。コアネットワークからＭＢＭＳセッション開始メッセージを受信した後（Ｓ５０）、ＵＴＲＡＮ２０は、該当ＭＢＭＳを受信しようとする端末１０にＭＢＭＳ通知メッセージを転送して（Ｓ５２）、前記特定ＭＢＭＳのためのデータ転送が迫っていることを通知する。
【００４０】
前記ＭＢＭＳ通知メッセージを受信した端末１０は、ＲＲＣ接続要求メッセージをＵＴＲＡＮ２０に転送する（Ｓ５４）。ＵＴＲＡＮ２０は、無線資源の現在状態を考慮して、ＲＲＣ接続が与えられる閾値以下の制限された数の端末を選択する（Ｓ５６）。
【００４１】
その後、ＵＴＲＡＮ２０は、ＲＲＣ接続が与えられるように選択された端末にＲＲＣ接続設定メッセージを転送し（Ｓ５８）、ＲＲＣ接続設定メッセージを受信した端末は、ＵＴＲＡＮ２０にＲＲＣ接続設定完了メッセージを転送する（Ｓ６０）。この過程が正常に完了すると、選択された端末１０とＵＴＲＡＮ２０の間にＲＲＣ接続が存在して、選択された端末１０はＲＲＣ接続状態となる。ＵＴＲＡＮ２０は、ＲＲＣ接続が与えられるように選択されていない、前記ＭＢＭＳを受信しようとする端末１０に、ポイントツーマルチポイント無線ベアラを設定する（Ｓ６２）。
【００４２】
図５は従来技術によるＲＲＣ接続が正常に設定されていない場合を示す信号流れ図である。コアネットワーク３０からＭＢＭＳセッション開始メッセージを受信した後（Ｓ５０）、ＵＴＲＡＮ２０は、該当ＭＢＭＳを受信しようとする端末１０にＭＢＭＳ通知メッセージを転送して（Ｓ５２）、前記特定ＭＢＭＳのためのデータ転送が迫っていることを通知する。
【００４３】
前記ＭＢＭＳ通知メッセージを受信した端末１０は、ＲＲＣ接続要求メッセージをＵＴＲＡＮ２０に転送し（Ｓ５４）、ＵＴＲＡＮ２０は、無線資源の現在状態を考慮して、ＲＲＣ接続が与えられる閾値以下の制限された数の端末１０を選択する（Ｓ５６）。
【００４４】
図５に示すように、ＵＴＲＡＮ２０は、前記閾値を超過した端末１０（例えば、端末の数が前記閾値と一致した後に集計された端末）にはＲＲＣ接続を与えることができないと判断する。その後、ＵＴＲＡＮ２０は、ＲＲＣ接続を要求しないと判断された端末１０にＲＲＣ接続拒否メッセージを転送する（Ｓ５９）。ＲＲＣ接続拒否メッセージを受信した端末１０は休止状態となる。その後、ＵＴＲＡＮ２０は、ＲＲＣ接続が与えられるように選択されていない、前記ＭＢＭＳを受信しようとする端末１０に、ポイントツーマルチポイントＭＢＭＳベアラを設定する（Ｓ６２）。
【００４５】
図４及び図５は、特定ＭＢＭＳを受信しようとする少なくとも１つの端末１０が存在する場合の過程を示している。しかしながら、集計の結果、特定ＭＢＭＳを受信しようとする端末１０が存在しないと、ＵＴＲＡＮ２０は、無線ベアラを設定せず、ＭＢＭＳデータも転送しない。これは、サービスを受信しようとするユーザが存在しないのに無線ベアラを設定することは無線資源の浪費だからである。
【００４６】
ＭＢＭＳの１セッションで、ＭＢＭＳデータがコアネットワークから転送される場合、ＵＴＲＡＮ２０は、設定された無線ベアラを使用して前記データを転送する。コアネットワークからセッション中止命令を受信すると、ＵＴＲＡＮ２０は、前記設定された無線ベアラを解除する。
【００４７】
１つのセル内でＭＢＭＳを受信している端末１０は、他のセルに移動するか、又は１つのセル内で電源をオンすることにより、前記ＭＢＭＳデータが前記セルに転送されているか否かによって２つの状況のいずれか１つを発生させることができる。
【００４８】
第１の状況は、前記端末１０が以前に受信したか、又は電源がオンになった端末が希望したＭＢＭＳデータが、前記端末が属している新しいセルに転送されている場合に発生する。前記新しいセルで前記端末１０にＭＢＭＳデータを受信させるために、ＵＴＲＡＮ２０は、該当ＭＢＭＳのセッション中止（命令）が受信されるまで、前記セル内で該当ＭＢＭＳ無線ベアラに関連した情報を前記端末１０に通知する。
【００４９】
このような過程により、新しいセルに移動した端末１０が、現在属している新しいセルのＭＣＣＨやＢＣＣＨのような共通チャネルで転送されたＭＢＭＳ無線ベアラに関する情報を受信して、パラメータや環境を設定することにより、ＭＢＭＳを受信し続けることができる。また、このような過程により、１つのセル内でのＭＢＭＳセッションの実行中に電源がオンになった端末１０も、共通制御チャネルで転送されるＭＢＭＳ無線ベアラに関する情報を受信してパラメータを設定することにより、ＭＢＭＳデータを受信することができる。
【００５０】
第２の状況は、前記端末１０が以前に受信したか、又は電源がオンになった端末が希望したＭＢＭＳデータが、前記端末が属している前記新しいセルに転送されていない場合に発生する。このような状況は、前記端末が該当セルに移動するか、又は該当セル内で電源をオンするまで該当ＭＢＭＳを受信する端末１０が前記新しいセル内に存在しない場合に発生する。前記新しいセルに移動したか、又は新しいセルで電源をオンした端末１０が、該当ＭＢＭＳの無線ベアラに関する情報を受信できないと、前記端末は、ＵＴＲＡＮ２０との接続を設定して、ＭＢＭＳデータを前記端末に転送することを要求する。
【００５１】
端末から特定ＭＢＭＳデータ転送要求を受信したＵＴＲＡＮ２０は、コアネットワーク３０に前記ＭＢＭＳデータを転送することを要求する。その後、ＵＴＲＡＮ２０は、該当セルのＭＢＭＳ無線ベアラを設定して、コアネットワーク３０から受信したＭＢＭＳデータを前記端末１０に転送し始める。また、ＵＴＲＡＮ２０は、前記セッションが完了するまで、前記ＭＢＭＳ無線ベアラに関連した情報を共通制御チャネルを介して転送する。
【００５２】
このような２つの方法により、端末１０は、他のセルに移動した後、又は電源をオンした後にも、ＭＢＭＳを受信することができる。しかしながら、ＵＴＲＡＮ２０が特定ＭＢＭＳの状態や状況について端末１０に通知しないため、前記端末１０は、前記特定ＭＢＭＳの状態について知らないまま動作する。端末１０が前記新しいセルに移動するか、又は電源をオンする前に該当ＭＢＭＳセッションが終了した後で、特定ＭＢＭＳに関連したデータをＵＴＲＡＮ２０に要求した場合、又は新しいセルがサービス領域内でない場合、前記端末１０は正常に動作しない。
【００５３】
従って、ＭＢＭＳ状態情報を端末に容易に通知することにより、提供できないサービスを端末が要求することを防止できる方法及び装置が必要である。本発明は、このような場合とその他の必要な場合を扱っている。
【発明の開示】
【発明が解決しようとする課題】
【００５４】
本発明の目的は、端末が受信を希望しているが利用できないサービスに関する状態情報を前記端末に提供するための方法及び装置を提供することにある。
【課題を解決するための手段】
【００５５】
本発明は、上記の目的を達成するために、端末が受信しようとするサービスに関する状態情報を前記端末に容易に提供する移動通信システム及び装置で実現される。特に、本発明は、前記端末が１つのセル内で動作を最初に開始するときに、特定サービスに関連したネットワーク接続を要求する前に前記特定サービスの利用可能性を考慮させる方法及び装置に関する。
【００５６】
本発明の目的は、端末とネットワークの無線通信方法を提供するもので、端末が特定サービスに加入して、前記特定サービスが提供されないセル内で最初に動作する段階と、前記セルで提供しているサービスに関連したＩＤ（Ｉｄｅｎｔｉｆｉｃａｔｉｏｎ）及び状態情報を含む制御メッセージを、前記ネットワークから受信する段階と、前記提供されたサービスのＩＤと前記端末が加入した前記特定サービスとを比較して、前記サービスが前記セル内で利用可能かどうかを判断する段階とを含む。前記提供されたサービスに関連した状態情報は、端末が接続要求を求めているか否かを示すか、又は前記提供されたサービスが転送中であるか否かを示す情報を含む。
【００５７】
本発明においては、端末の電源をオンするか、又は端末が他のセルから移動してきてはじめてセル内で動作することができる。前記提供されるサービスに関する識別情報を端末に通知することによって、前記端末は、加入した特定サービスが前記セルでサービスされないため転送されないと判断することができる。前記端末は、制御メッセージのサービスＩＤを活用して、セルから提供されたサービスが端末が加入した特定サービスであるか否かを判断する。
【００５８】
前記制御メッセージのサービスＩＤが前記端末が加入した特定サービスのサービスＩＤと一致しないと、前記端末は、前記特定サービスが前記セル内で利用できないと判断し、「サービス不可能（Ｓｅｒｖｉｃｅ  ｎｏｔ  ａｖａｉｌａｂｌｅ）」状態であると認識する。前記端末は、例えば、要求メッセージを転送してネットワークとの接続過程を開始することにより、無線資源を浪費しない。
【００５９】
前記制御メッセージのサービスＩＤが前記端末が加入した特定サービスのサービスＩＤと一致すると、前記端末は、前記特定サービスが前記セル内で利用できると判断し、「サービス可能（Ｓｅｒｖｉｃｅ  ａｖａｉｌａｂｌｅ）」状態であると認識する。前記端末は、ネットワークに要求メッセージを転送して特定サービスを要求する。
【００６０】
好ましくは、前記「サービス不可能」状態は、特定サービスがセッション実行中でないか、又はセルが前記特定サービスのサービス領域に属していない不在状態を示す。好ましくは、前記「サービス可能」状態は、ネットワークがセル内の特定サービスを受信しようとする端末の数によって設定される無線ベアラの形態を決定するために集計過程を行っている状態である準備状態（Ｐｒｅｐａｒａｔｉｏｎ  ｐｈａｓｅ）、又は前記セル内にサービスを受信しようとする端末が存在しないため設定された無線ベアラがない状態である無転送状態（Ｎｏ−ｔｒａｎｓｍｉｓｓｉｏｎ  ｓｔａｔｅ）を示す。
【００６１】
好ましくは、前記接続過程は、前記特定サービス、例えば、ＭＢＭＳに関連したもので、端末とネットワーク間のＲＲＣ接続を得るために開始する。好ましくは、制御メッセージはＭＢＭＳ通知メッセージであり、要求メッセージはＲＲＣ接続要求メッセージである。
【００６２】
本発明の他の目的は、端末とネットワーク間の無線通信のための方法であって、端末が特定サービスに加入してセル内で最初に動作する段階と、前記セルで提供しているサービスに関連したＩＤ及び状態情報を含む制御メッセージを、前記ネットワークから受信する段階と、前記提供されたサービスのＩＤと前記端末が加入した前記特定サービスとを比較して、前記特定サービスがセル内で利用可能かどうかを判断し、利用可能なサービスであると、接続過程を決定してサービスを受信する段階とを含む。前記提供されたサービスに関連した状態情報は、端末が接続要求を求めているか否かを示すか、提供されたサービスが転送中であるか否かを示す情報を含む。
【００６３】
本発明においては、端末の電源をオンするか、又は端末が他のセルから移動してきてはじめてセル内で動作することもできる。前記提供されるサービスに関する識別情報を端末に通知することによって、前記端末は、加入した特定サービスが前記セルでサービスされないため転送されないと判断することができる。前記端末は、制御メッセージのサービスＩＤを活用して、セルから提供されたサービスが端末が加入した特定サービスであるか否かを判断する。
【００６４】
前記端末は、前記制御メッセージのサービスＩＤを活用して、前記端末が加入した特定サービスが、セル内で特定サービスのセッションが実行中でないか、又は前記セルが特定サービスのサービス領域に属していないため、セル内で利用できないという不在状態を認識する。前記制御メッセージのサービスＩＤが前記端末が加入した特定サービスのサービスＩＤと一致しないと、前記端末は不在状態であると認識する。前記端末は、ネットワークとの接続過程の開始を試みることにより、例えば、要求メッセージを転送することにより、無線資源を浪費しない。
【００６５】
前記制御メッセージのサービスＩＤが前記端末が加入した特定サービスのサービスＩＤと一致すると、前記端末は、前記制御メッセージに含まれた状態情報によって接続要求を転送するか、又は無線ベアラを設定する。本発明において、前記制御メッセージの状態情報は、準備状態、ポイントツーポイント状態、ポイントツーマルチポイント状態、及び無転送状態を示すことができる。
【００６６】
前記準備状態で、ネットワークは、特定サービスを受信しようとする端末の数に基づいて設定する無線ベアラの形態を決定するために集計過程を実行中にある。前記無転送状態では、前記セル内にサービスを受信しようとする端末が存在しないため、設定された無線ベアラが存在しない。前記ポイントツーポイント状態とポイントツーマルチポイント状態は、前記特定サービスが転送中であり、無線ベアラが設定された状態である。
【００６７】
前記ポイントツーポイント状態を示す場合、前記端末は、ポイントツーポイント無線ベアラを設定して前記特定サービスを受信し、前記ポイントツーマルチポイント状態を示す場合、前記端末は、ポイントツーマルチポイント無線ベアラを設定して前記特定サービスを受信する。好ましくは、前記無線ベアラは、前記端末と前記ネットワーク間のＲＲＣ接続を意味する。前記準備状態又は前記無転送状態を示す場合、前記端末は、要求メッセージを転送して前記特定サービスを受信する。
【００６８】
好ましくは、前記要求メッセージは、特定サービスに関連したＲＲＣ接続要求メッセージであり、前記制御メッセージは、ＭＢＭＳ通知メッセージである。好ましくは、前記サービスはＭＢＭＳである。
【００６９】
本発明のさらに他の目的は、端末とネットワーク間の無線通信のための方法を提供するもので、端末が特定サービスに加入して１つのセルで最初に動作する段階と、前記セルで提供しているサービスに関連したサービスＩＤ、転送状態指示子、及び集計状態を含む制御メッセージを、ネットワークから受信する段階と、前記提供されたサービスのサービスＩＤと前記端末が加入した特定サービスのサービスＩＤとを比較して、第１の状態、第２の状態、又は第３の状態を認識する段階と、ネットワークとの接続過程を開始するかどうか、前記認識された状態に基づいて前記接続過程をどのように開始するかを決定する段階とを含む。前記サービスＩＤは、前記セルから提供されたサービスの識別情報である。前記転送状態指示子は、前記提供されたサービスが転送中であるか否かを示す。前記集計状態情報は、集計動作が行われているかどうかを示す。
【００７０】
前記端末は、前記制御メッセージの前記サービスＩＤを活用して、前記特定サービスのセッションが実行中でないか、又は前記セルが前記特定サービスのサービス領域に属していないため、前記端末が加入した特定サービスが前記セル内で利用できない状態である前記第１の状態、好ましくは、不在状態を認識する。前記制御メッセージのサービスＩＤが前記端末が加入した特定サービスのサービスＩＤと一致しないと、前記端末は、前記第１の状態が存在すると認識する。前記端末は、ネットワークとの接続過程の開始を試みることにより、例えば、要求メッセージを転送することにより、無線資源を浪費しない。
【００７１】
前記制御メッセージのサービスＩＤが前記端末が加入した特定サービスのサービスＩＤと一致すると、前記端末は、前記第２の状態又は前記第３の状態が存在すると認識する。前記端末は接続過程を開始する。
【００７２】
好ましくは、前記第２の状態は、前記セル内で特定サービスを受信しようとする端末の数によって設定する無線ベアラの種類を決定するために集計過程を行っている準備状態を示す。好ましくは、前記第３の状態は、転送状態指示子が示す無転送状態、ポイントツーポイント状態、及びポイントツーマルチポイント状態を含む。前記無転送状態は、前記サービスを受信しようとする端末がないため、設定された無線ベアラも存在しない状態である。前記ポイントツーポイント状態と前記ポイントツーマルチポイント状態は、特定サービスが転送中であり、無線ベアラが設定されている状態である。
【００７３】
前記端末は、前記制御メッセージに含まれた転送状態指示子及び集計状態を活用して接続要求を転送することにより、接続過程を開始するか又は無線ベアラを設定するかを判断する。前記集計状態が集計過程が行われていることを示すか、又は前記転送状態指示子が前記提供されたサービスが転送されていないことを示す場合、前記端末は、接続要求メッセージを転送して接続過程を開始する。前記転送状態指示子が前記サービスが転送中であることを示す場合、前記端末は、前記転送状態指示子が示す転送種類に基づいて、ポイントツーポイント無線ベアラ又はポイントツーマルチポイント無線ベアラを設定する。
【００７４】
本発明のさらに他の目的は、ネットワークと複数の端末間の無線通信のための方法を提供するもので、サービスセッション開始指示を受信する段階と、現在サービスに加入しているセル内の端末の数を判断する段階と、現在サービスに加入している端末がない場合、サービスＩＤ及び状態情報を含む制御メッセージを転送して接続要求を行う段階とを含む。
【００７５】
前記サービスセッション開始指示は、好ましくは、コアネットワークから受信され、ＭＢＭＳに関連している。前記セッション開始指示を受けると、集計動作が行われて前記サービスに現在加入している端末を判断することができる。
【００７６】
前記集計動作が完了すると、制御メッセージ、例えば、ＭＢＭＳ通知メッセージを端末に転送する。前記制御メッセージは、前記サービスのＩＤを含む。現在前記サービスに加入している端末が存在しない場合、前記制御メッセージは、少なくとも１つの端末に接続要求を促すことに関連した状態情報をさらに含む。前記状態情報は、準備状態又は無転送状態を示す転送状態指示子をさらに含む。
【００７７】
本発明においては、前記の方法が現在サービスに加入している端末が少なくとも１つ存在する場合、設定された無線ベアラを示す転送状態指示子を含む制御メッセージを転送する段階をさらに含むことができる。前記転送状態指示子は、ポイントツーマルチポイント無線ベアラ又はポイントツーポイント無線ベアラが現在サービスに加入している端末の数に基づいて設定されたことを示す。
【００７８】
本発明においては、前記の方法がセッション中止指示を受信して不在状態に入る段階をさらに含むことができる。前記不在状態は、設定された無線ベアラの解除と、サービスに関連したＩＤ及び状態情報を含む制御メッセージの転送の中止とを含む。
【００７９】
本発明においては、前記の方法が前記セルに新しく進入した端末を検出して、前記端末にサービス状態を通知するための制御メッセージを提供する段階をさらに含むことができる。前記制御メッセージは、現在前記サービスに加入している他の端末が存在しない場合、前記新しく進入した端末に接続要求を求めることに関連した状態情報、及び現在前記サービスに加入している少なくとも１つの他の端末が存在する場合、前記新しく進入した端末に設定された無線ベアラの種類を示す転送状態指示子を含む。
【００８０】
本発明のさらに他の目的は、ネットワークとの無線通信のための端末を提供するもので、前記端末は、受信器、送信器、ディスプレイ、メモリ部、及び処理部を含む。
【００８１】
前記受信器は、前記端末が最初にセルに進入したときに、ネットワークが提供するサービスに関連したサービスＩＤ及びサービス状態情報を含む制御メッセージを受信する。前記送信器は、ネットワークに接続要求を転送することにより、前記サービスに関連したネットワーク接続過程を開始する。前記ディスプレイは、ユーザに情報を送る。前記メモリ部は、ネットワーク接続及びユーザサービスに関連した情報を保存する。前記処理部は、本発明の方法を行って、前記制御メッセージのサービスＩＤ及びサービス状態情報に基づいて、接続過程を開始するかどうかを判断する。
【００８２】
本発明のさらに他の目的は、複数の端末との無線通信のためのネットワークを提供するもので、前記端末は、受信器、送信器、保存部、及び制御部を含む。
【００８３】
前記受信器は、サービスに加入したセル内の端末から接続要求を受信する。前記送信器は、前記セル内の端末に制御メッセージを転送する。前記保存部は、ネットワーク接続、ユーザサービス、及び前記サービスに関連したフィードバック情報を提供するための端末の性能に関連した情報を保存する。前記制御部は、本発明による方法を行って、コアネットワークからサービス開始指示を受信し、現在サービスに加入しているセル内の端末の数を判断し、少なくとも１つの端末に接続要求を求めるか、又は現在サービスに加入している端末の数に基づいて設定された無線ベアラの種類を示すサービスＩＤ及びサービス状態情報を含む制御メッセージを端末に転送し、前記コアネットワークからサービス中止指示を受信すると不在状態に入る。
【００８４】
本発明のさらなる利点、目的、及び特性は、部分的に以下で説明され、以下の説明によりこの分野における通常の知識を有する者にとって明確になり、本発明の適用によって熟知されるはずである。本発明の目的と利点は、特に添付の特許請求の範囲により達成される。
【発明を実施するための最良の形態】
【００８５】
本発明の理解を助け、本明細書の一部分を構成する添付の図面は、本発明の実施形態を提示しており、前述した内容と共に本発明の原理を説明する役割を果たしている。各図面での同じ参照番号による本発明の特性、構成要素、及び目的は、１つ以上の実施形態によって同様であるか又は類似した特性、構成要素、又は目的を示す。
【００８６】
本発明は、端末が最初に動作する新しいセル内で前記端末に該端末が受信しようとするサービスに関する状態情報を提供するための方法に関し、前記新しいセルで前記端末が最初に動作して、サービスが可能かどうかと、前記サービスを受信するための過程を判断することができる。本発明は、３ＧＰＰが開発したＵＭＴＳのような移動通信システム、特に、ＭＢＭＳユーザサービスに関連したＲＲＣ接続について説明しているが、ここに説明された発明及び装置は、新しいセル内で最初に動作する端末に情報を提供しようとする場合、類似又は相違する標準に準拠した通信システムにも適用することができる。
【００８７】
本発明は、端末の移動性をサポートする通信システムを提供して、前記システムにより特定サービスの状態や条件を端末４００に通知することにより、前記端末４００に特定サービスを提供するために無線資源を効果的に活用する。複数の端末４００にブロードキャスト及び／又はマルチキャストサービスをダウンリンクチャネルで転送する無線システムにおいて、ＵＴＲＡＮ５２０は、特定ブロードキャスト及び／又はマルチキャストサービスの状態を端末に通知する。
【００８８】
ＵＴＲＡＮ５２０が端末４００に提供するサービスの状態又は条件に関する情報には、ＵＴＲＡＮが該当サービスのデータ転送を準備し、ＵＴＲＡＮがポイントツーポイント無線ベアラ又はポイントツーマルチポイント無線ベアラを使用して該当サービスデータを転送し、ＵＴＲＡＮが該当サービスデータを転送せずに端末からの該当サービスデータに対する要求を待ち、ＵＴＲＡＮの位置領域がサービス領域内に位置しないか、又は該当サービスのセッションが実行中でないという内容が含まれている。前記特定サービスの状態を転送することにより、ＵＴＲＡＮがセッションで動作していないか、又はサービス領域に位置していない場合、端末４００が不要にＵＴＲＡＮにサービスデータを要求することに関連した問題を最小化することができる。
【００８９】
本発明の第１実施形態において、特定ブロードキャスト及び／又はマルチキャストサービスに対するＵＴＲＡＮ５２０の動作は、５つの状態に分離されて管理される。図６は前記５つの状態の間での遷移を示す。
【００９０】
第１の状態は、不在（ＮＵＬＬ）状態１０１であって、ＭＢＭＳのために実行中のセッションが存在しないか、又はセルがサービスのサービス領域に属していない状態を示す。これは、ＵＴＲＡＮ５２０の基本状態であって、ネットワークからセッション開始メッセージを受信すると、第２の状態１０２に遷移する。端末４００は、前記ＮＵＬＬ状態のＵＴＲＡＮ５２０にサービス転送を要求しない。
【００９１】
前記第２の状態は、準備（Ｐｒｅｐａｒａｔｉｏｎ；ＰＲ）１０２状態であって、ＵＴＲＡＮ５２０がコアネットワーク３０からサービスセッション開始通知を受けて無線環境を準備するか、設定する状態であることを示す。この状態は、ＵＴＲＡＮ５２０がコアネットワーク３０からサービスセッション開始メッセージを受信したときに開始して、ＵＴＲＡＮ５２０がセル内で使用を決定した無線ベアラに関する情報や無線ベアラが設定されていないことを通知する情報を端末に送るまで持続する。
【００９２】
前記ＰＲ状態１０２で、ＵＴＲＡＮ５２０は、端末４００に提供されるサービスに関する通知を転送し、無線ベアラの種類を決定するための集計過程を行う。ＵＴＲＡＮ５２０は、セル内でサービスを受信しようとする端末４００の数によって、ポイントツーマルチポイント無線ベアラを設定するか、ポイントツーポイント無線ベアラを設定するか、無線ベアラを設定しないかを決定する。
【００９３】
前記ＰＲ状態１０２で行われた決定によって、ＵＴＲＡＮ５２０は、３つの状態のうちの１つに遷移する。ポイントツーポイント（Ｐｏｉｎｔ−ｔｏ−Ｐｏｉｎｔ；ＰＴＰ）状態１０３は、ポイントツーポイント無線ベアラが設定された場合に入る状態であり、ポイントツーマルチポイント（Ｐｏｉｎｔ−ｔｏ−Ｍｕｌｔｉｐｏｉｎｔ；ＰＴＭ）状態１０４は、ポイントツーマルチポイント無線ベアラが設定された場合に入る状態である。無転送（Ｎｏ−Ｔｒａｎｓｍｉｓｓｉｏｎ；ＮＴ）状態１０５は、無線ベアラが設定されない場合に入る状態である。
【００９４】
ポイントツーマルチポイント無線ベアラは、サービスを受信しようとする端末４００の数が閾値より大きいか等しい場合に設定され、ポイントツーポイント無線ベアラは、サービスを受信しようとする端末の数が前記閾値より小さい場合に設定される。端末４００がサービスを受信しようとしていないため無線ベアラが設定されない場合、前記端末はその旨を通知される。
【００９５】
前記ＰＴＰ状態１０３で、ＵＴＲＡＮ５２０は、コアネットワーク３０から転送されたサービスデータを受信し、ポイントツーポイント無線ベアラを使用して、端末４００に前記データを転送する。ＵＴＲＡＮ５２０は、サービスを要求する端末４００の数が閾値を超過すると、無線ベアラをポイントツーマルチポイント無線ベアラに変更し、前記各端末４００にその情報を通知した後にＰＴＭ状態１０４に遷移することができる。ＵＴＲＡＮ５２０は、セル内にユーザが存在しないと、前記ポイントツーポイント無線ベアラを解除又は取消し、前記各端末４００にその情報を通知した後にＮＴ状態１０５に遷移することができる。ＭＢＭＳセッションが完了すると、ＵＴＲＡＮ５２０は、ポイントツーポイント無線ベアラを取消し、ＭＢＭＳ状態はＮＵＬＬ状態１０１に遷移する。
【００９６】
前記ＰＴＭ状態１０４で、ＵＴＲＡＮ５２０は、コアネットワーク３０から転送されたサービスデータを受信し、ポイントツーマルチポイント無線ベアラを使用して、端末４００に前記データを転送する。ＵＴＲＡＮ５２０は、サービスを受信しようとする端末４００の数が閾値より小さいと、無線ベアラをポイントツーポイント無線ベアラに変更し、前記各端末４００にその情報を通知した後にＰＴＰ状態１０３に遷移することができる。ＵＴＲＡＮ５２０は、セル内にユーザがないと、前記ポイントツーマルチポイント無線ベアラを解除又は取消しし、前記各端末４００にその情報を通知した後にＮＴ状態１０５に遷移することができる。ＭＢＭＳセッションが完了すると、ＵＴＲＡＮ５２０は、ポイントツーマルチポイント無線ベアラを取り消し、ＭＢＭＳ状態はＮＵＬＬ状態１０１に遷移する。
【００９７】
前記ＮＴ状態１０５では、該当サービスのセッションが開始しても、セル内にサービスを受信しようとする端末４００が存在しないため、無線ベアラが設定され、ＵＴＲＡＮ５２０はサービスデータを転送しない。ＵＴＲＡＮ５２０は、少なくとも１つ以上の端末４００からのサービスデータ転送要求を待つ。
【００９８】
ＵＴＲＡＮ５２０が閾値より小さい数の端末４００からサービスデータ転送要求を受信した場合、ポイントツーポイント無線ベアラが設定され、このような設定情報を前記各端末４００に通知した後にＰＴＰ状態１０３に遷移する。ＵＴＲＡＮ５２０が閾値より大きいか等しい数の端末４００からサービスデータ転送要求を受信した場合、ポイントツーマルチポイント無線ベアラが設定され、これを前記各端末４００に通知した後にＰＴＭ状態１０４に遷移する。ＭＢＭＳセッションが完了した場合、ＵＴＲＡＮ５２０はＮＵＬＬ状態１０１に遷移する。
【００９９】
表１は、本発明の第１実施形態において、ＵＴＲＡＮ５２０の現在状態を端末４００に通知するために各状態で転送された情報の種類を示す。
【０１００】
表１で、「ＹＥＳ」及び「ＮＯ」は、ＵＴＲＡＮ５２０が各状態で該当データを転送するか否かを示す。端末４００に該当セル内で前記確認された情報を受信させるために、ＵＴＲＡＮ５２０は、ＭＣＣＨ又はＢＣＣＨのような共通制御チャネルで情報を周期的に転送する。
【０１０１】
「サービスＩＤ」は、各ＭＢＭＳを区別できる固有の識別子である。「セッション実行」は、現在セッションが実行中であるかどうかを示す。「ベアラタイプ」は、システムにより設定された無線ベアラの種類、例えば、設定された無線ベアラがポイントツーポイントであるか、ポイントツーマルチポイントであるか、又は無線ベアラが設定されていないかを示す。「状態情報」は、ＵＴＲＡＮ５２０の現在状態を示すものであり、「セッション実行」情報及び「ベアラタイプ」情報から推定することができる。従って、ＵＴＲＡＮは、「セッション実行」情報を転送しないこともある。
【０１０２】
【表１】
2006526352.tif 000003
本発明の第１実施形態において、移動性を有する端末４００がＵＴＲＡＮ５２０の状態を判断するために、前記端末は、まず、共通制御チャネルで受信された情報のうち、受信しようとするサービスと一致する「サービスＩＤ」情報があるかどうかを確認する。端末４００は、該当「サービスＩＤ」がないと、特定サービスに対するＵＴＲＡＮ５２０の状態がＮＵＬＬ状態であると認識し、該当「サービスＩＤ」があると、該当サービスの「状態情報」を活用してシステムの状態を判断する。
【０１０３】
ＵＴＲＡＮ５２０が「セッション情報」を転送しないこともあるため、端末４００は、「セッション実行」情報及び「ベアラタイプ」情報を用いて、該当サービスに対するＵＴＲＡＮ５２０の状態を判断することができる。システムの状態を判断した後に、端末は、前記判断されたシステムの状態によって動作する。
【０１０４】
ＮＵＬＬ状態１０１であると認識した場合、端末４００は、セルがサービス領域内に位置しないか、又は該当サービスのセッションが実行中でないと判断する。端末４００は、ＵＴＲＡＮ５２０にサービスデータ転送を要求しない。
【０１０５】
ＰＲ状態１０２であると認識した場合、端末４００は、共通制御チャネルで転送されたメッセージによって動作して、ＵＴＲＡＮ５２０が転送したサービス通知を受信することができる。ＵＴＲＡＮ５２０が集計過程を行っている場合、端末４００は、ＵＴＲＡＮ５２０にサービスを受信しようとすることを通知する。
【０１０６】
ＰＴＰ状態１０３であると認識した場合、端末４００は、前記共通制御チャネルで転送されたポイントツーポイント無線ベアラ情報を取得して、自分の環境を設定し、ＵＴＲＡＮ５２０が転送したサービスデータを受信する。
【０１０７】
ＰＴＭ状態１０４であると認識した場合、端末４００は、前記共通制御チャネルで転送されたポイントツーマルチポイント無線ベアラ情報を取得して、自分の環境を設定し、ＵＴＲＡＮ５２０が転送したサービスデータを受信する。
【０１０８】
ＮＴ状態１０５であると認識した場合、端末４００は、ＵＴＲＡＮ５２０に該当ＭＢＭＳデータを転送することを要求する。前記ＮＴ状態１０５で、ＵＴＲＡＮ５２０は、セル内にＭＢＭＳを受信しようとする端末４００がないため、該当位置領域内では該当ＭＢＭＳデータを転送しない。従って、端末４００は、ＵＴＲＡＮ５２０に該当サービスのデータを受信しようとすることを通知しなければならない。
【０１０９】
端末４００は、所望のサービスの識別情報を含む該当サービスのデータ転送を要求するメッセージをＵＴＲＡＮ５２０に転送する。すると、ＵＴＲＡＮ５２０は、端末４００に無線ベアラ情報を通知し、端末は、サービスデータを受信するための無線ベアラ情報によって自分の環境を設定する。
【０１１０】
本発明の第２実施形態において、特定ブロードキャスト及び／又はマルチキャストサービスに対するＵＴＲＡＮ５２０の動作は、３つの状態に分けることができる。図７は本発明の第２実施形態によるＭＢＭＳのタイムラインを示す。
【０１１１】
ＭＢＭＳのセッションが実行中でないか、又はセルがサービスのサービス領域内に属していない場合、セルは状態１に止まる。状態１で、ＵＴＲＡＮ５２０は、ＭＢＭＳに関連していない。ＭＢＭＳに参加した端末１０は、セル内でＭＢＭＳ状態情報ブロードキャストの受信を定期的に試みる。端末１０は、ＵＴＲＡＮ５２０にサービスの転送を要求しない。
【０１１２】
状態２は、ＵＴＲＡＮ５２０がコアネットワーク３０からＭＢＭＳセッション開始メッセージを受信したときに開始して、ＵＴＲＡＮ５２０が前記セッションに対して最初にＭＢＭＳ無線ベアラを設定したとき、又はセル内にＭＢＭＳ無線ベアラを設定しないと決定したときに終了する。
【０１１３】
状態２で、ＵＴＲＡＮ５２０は、入るサービスに関する通知を端末１０に転送し、集計過程を行って設定するＭＢＭＳ無線ベアラの種類を決定する。ＵＴＲＡＮ５２０は、前記セル内でサービスを受信しようとする端末１０の数によって、ポイントツーマルチポイント無線ベアラを設定するか、ポイントツーポイント無線ベアラを設定するか、又は無線ベアラを設定しないかを決定する。ＭＢＭＳに参加した端末１０は、ＭＣＣＨチャネル上でＲＲＣメッセージを活用してサービスを要求する。
【０１１４】
状態３は、初期ＭＢＭＳ無線ベアラを設定した後に開始して、ＵＴＲＡＮ５２０がコアネットワーク３０からＭＢＭＳセッション中止メッセージを受信すると終了する。状態３で、ＵＴＲＡＮ５２０は、設定された無線ベアラがあると、これを使用してコアネットワーク３０から受信されたＭＢＭＳデータを転送する。設定された無線ベアラがない場合、端末からのサービス転送要求を待つ。この状態のときに再集計及び無線ベアラの再設定を行うことができる。
【０１１５】
状態３でのＵＴＲＡＮ５２０の作用は、３つの状態、即ち、無転送状態、ポイントツーポイント転送状態、ポイントツーマルチポイント転送状態に分けてみることができる。各セルは、前記３つの状態のいずれか１つの状態にある。端末１０の数の変化によって、セルの状態も３つの状態の間で遷移する。ＵＴＲＡＮ５２０は、このような状態を端末１０にブロードキャストすることができる。
【０１１６】
セルが無転送状態の場合、サービスを受信しようとする端末１０が存在しないため、無線ベアラも設定されない。このような状態のセルに移動した、ＭＢＭＳに参加した休止状態の端末１０は、ＵＴＲＡＮ５２０に要求メッセージを転送してサービス転送を要求する。
【０１１７】
セルがポイントツーポイント状態の場合、ポイントツーポイント無線ベアラが設定され、ＭＢＭＳに参加した端末１０は、受信するＭＢＭＳが存在すると、ポイントツーポイント無線ベアラを使用してＭＢＭＳを受信することができる。
【０１１８】
セルがポイントツーマルチポイント状態の場合、ポイントツーマルチポイント無線ベアラが設定され、端末１０は、受信するＭＢＭＳが存在すると、ポイントツーマルチポイント無線ベアラを使用してＭＢＭＳを受信することができる。
【０１１９】
表２は、本発明の第２実施形態において、ＵＴＲＡＮ５２０の現在状態を端末４００に通知するためにＭＢＭＳの各状態で転送された情報の種類を示す。表２で、「ＹＥＳ」はＵＴＲＡＮ５２０がデータを転送できる状態を示し、「ＮＯ」はＵＴＲＡＮ５２０がデータを転送しない状態を示す。
【０１２０】
「サービスＩＤ」は、提供された特定サービスのための固有の識別子である。「転送状態」は、状態３でのセルの状態、例えば、どのタイプ（ＰＴＰ、  ＰＴＭ、又はＮＯＮＥ）の転送が実行中であるかを示し、「集計」は、ＵＴＲＡＮ５２０が集計過程を行っているか否かを示す。「集計」が「ＯＮ」の場合、端末４００は、要求メッセージを転送してサービスを受信する。
【０１２１】
【表２】
2006526352.tif 000004
本発明の第２実施形態において、移動性を有する端末４００がＵＴＲＡＮ５２０の状態を判断するために、端末は、まず、受信しようとするサービスのサービスＩＤと共通制御チャネルで受信された「サービスＩＤ」とが一致するかどうかを判断する。移動性を有する端末４００は、例えば、新しいセルに移動したか、又は電源をオンした端末である。
【０１２２】
「サービスＩＤ」が所望のサービスのサービスＩＤと一致しないと、端末４００は、特定サービスが状態１であると認識し、セルがサービス領域内にないか、又は該当サービスのセッションが実行中でないと判断して、ＵＴＲＡＮ５０にサービスデータ転送を要求しない。
【０１２３】
「サービスＩＤ」が所望のサービスのサービスＩＤと一致すると、端末４００は、該当サービスの「転送状態」を活用してシステムの状態を決定する。システムの状態を決定することにより、端末４００は、無線ベアラの再設定を開始するか、又はＵＴＲＡＮ５２０にサービス要求を転送することができる。
【０１２４】
ＵＴＲＡＮ５２０が状態２の場合、端末４００は、共通制御チャネルで転送されたメッセージによって動作する。端末４００は、ＵＴＲＡＮ５２０が転送したサービス通知を受信することができる。「集計」が「ＯＮ」の場合、集計が行われ、前記端末４００は、ＵＴＲＡＮ５２０にサービス要求メッセージを転送してサービスの転送を受信しようとすることを通知する。
【０１２５】
ＵＴＲＡＮ５２０が状態３の場合、端末４００は、「転送状態」を活用して設定する無線ベアラの種類を判断する。端末４００は、「転送状態」がＰＴＰ状態の場合、ポイントツーポイント無線ベアラを設定し、「ＰＴＭ」状態の場合、ポイントツーマルチポイント無線ベアラを設定する。また、端末４００は、「ＮＯＮＥ」状態の場合、ＵＴＲＡＮ５２０にサービス要求を送る。
【０１２６】
図８は本発明の一実施形態によるネットワークがＭＢＭＳを提供するための方法２００を示す。前記方法２００は、セッション開始指示を受信する段階（Ｓ２０２）と、集計過程を開始して（Ｓ２０４）、サービスに加入した端末４００の数を判断する段階（Ｓ２０６）と、前記集計の結果によって、接続要求指示子を設定するか（Ｓ２０８）、無線ベアラを設定するか（Ｓ２１０）を決定する段階と、前記接続要求指示子、サービスＩＤ、及び状態情報を含む制御メッセージを転送し（Ｓ２１２）、セッション中止指示を受信すると（Ｓ２１４）、ＮＵＬＬ状態に入る段階（Ｓ２１６）とを含む。
【０１２７】
コアネットワーク３０から特定サービスのセッション開始指示を受けると（Ｓ２０２）、ＵＴＲＡＮ５２０は、ＮＵＬＬ状態１０１からＰＲ状態１０２に遷移する。前記特定サービス、例えば、ＭＢＭＳに現在加入している端末４００の集計を開始し（Ｓ２０４）、その集計の結果を活用して（Ｓ２０６）、無線ベアラが設定されているか、セル内に位置している端末が接続要求を行ったかを判断する。
【０１２８】
セル内に現在サービスに加入している端末４００が存在しないと、ＲＲＣ接続要求指示子が設定され（Ｓ２０８）、ＵＴＲＡＮ５２０は、ＮＴ状態１０５に遷移する。セル内に現在サービスに加入している端末４００が少なくとも１つ存在すると、加入した端末の数によって、ＵＴＲＡＮ５２０と少なくとも１つの端末間のＲＲＣ接続のような無線ベアラを設定し（Ｓ２１０）、ＵＴＲＡＮ５２０は、ＰＴＰ状態１０３又はＰＴＭ状態１０４に遷移する。
【０１２９】
ＭＢＭＳ通知メッセージのような制御メッセージがセル内の端末４００に転送される（Ｓ２１２）。前記制御メッセージは、特定サービスに関連した特定サービスのサービスＩＤ、接続要求指示子、及び状態情報を含む。
【０１３０】
セッション中止指示が受信されたと判断されると（Ｓ２１４）、ＵＴＲＡＮ５２０は、ＮＵＬＬ状態１０１に遷移する（Ｓ２１６）。設定された全ての無線ベアラが解除され、接続要求指示子が再設定され、それ以降はサービスＩＤが前記制御メッセージに含まれない。
【０１３１】
図８に示す方法２００は、１つのセル内に新しく進入した端末４００を検出する段階をさらに含むことができる。新しく進入した端末４００を検出すると、ＵＴＲＡＮ５２０は、端末との無線ベアラを設定するか、又はＲＲＣ接続要求指示子を設定する。現在サービスに加入している他の端末４００が存在すると、無線ベアラを設定し、現在サービスに加入している他の端末４００が存在しないと、接続要求指示子を設定する。
【０１３２】
図９は本発明の一実施形態による端末がＭＢＭＳを受信する方法３００を示す。前記方法３００は、端末がセル内に新しく進入する段階（Ｓ３０２）と、接続要求指示子、サービスＩＤ、及び状態情報を含む制御メッセージを受信する段階（Ｓ３０４）と、所望のサービスが利用可能なサービスであるか否かを判断する段階（Ｓ３０６）と、利用可能なサービスの場合、サービス要求を送るために（Ｓ３１２）、又は無線ベアラを設定するために（Ｓ３１４）、前記サービスが転送されているか否かを判断する段階（Ｓ３１０）とを含む。利用可能なサービスでない場合、端末は、ＮＵＬＬ状態１０１に入る（Ｓ３０８）。
【０１３３】
端末４００は、例えば、新しいセルに移動するか、又はそのセルで電源をオンすることにより、セルに新しく進入する（Ｓ３０２）。前記端末４００は、ＵＴＲＡＮ５２０からＭＢＭＳ通知メッセージのような制御メッセージを受信する（Ｓ３０４）。前記制御メッセージは、前記特定サービスに関連した前記セルで提供される特定サービスのサービスＩＤ、接続要求指示子、及び状態情報を含む。
【０１３４】
前記端末４００は、段階Ｓ３０６で、前記制御メッセージのサービスＩＤと所望のサービスのＩＤとを比較して、例えば、ＭＢＭＳのような所望のサービスがセル内で利用可能かどうかを判断する。前記制御メッセージに含まれたサービスＩＤと前記所望のサービスのＩＤとが一致しないと、前記所望のサービスは現在のセル内で利用することができず、前記制御メッセージに含まれたサービスＩＤと前記所望のサービスのＩＤとが一致すると、前記所望のサービスを前記セル内で利用することができる。
【０１３５】
セル内で所望のサービスを利用できない場合、端末４００は、所望のサービスがＮＵＬＬ状態１０１であると認識して（Ｓ３０８）、ＵＴＲＡＮ５２０にサービス要求を送らない。
【０１３６】
制御メッセージのサービスＩＤと所望のサービスのＩＤとが一致する場合、端末４００は、所望のサービスに対してＰＲ状態１０２、ＰＴＰ状態１０３、ＰＴＭ状態１０４、又はＮＴ状態１０５が存在すると認識し、制御メッセージに含まれた状態情報及び接続要求指示子を活用して、前記セル内でサービスが転送中であるか否かを判断する（Ｓ３１０）。
【０１３７】
前記セル内でサービスが転送中でないと、端末４００は、前記サービスに対してＮＴ状態が存在すると判断して、ＵＴＲＡＮ５２０に要求メッセージを転送する（Ｓ３１２）。好ましくは、前記要求メッセージは、例えば、ＲＲＣ接続要求メッセージのように、前記サービスに関連したものである。
【０１３８】
サービスが転送中であると、端末は、無線ベアラ、例えば、端末４００とＵＴＲＡＮ５２０間のＲＲＣ接続を設定してサービスを受信する（Ｓ３１４）。前記無線ベアラは、ＰＴＰ３０３状態の場合、ポイントツーポイント無線ベアラ、ＰＴＭ状態１０４の場合、ポイントツーマルチポイント無線ベアラである。
【０１３９】
図１０は本発明の一実施形態による端末４００のブロック図である。前記端末４００は、プロセッサ又はデジタル信号プロセッサ４１０、ＲＦモジュール４３５、電源管理モジュール４０５、アンテナ４４０、バッテリー４５５、ディスプレイ４１５、キーパッド４２０、メモリ４３０、ＳＩＭ（Ｓｕｂｓｃｒｉｂｅｒ  Ｉｄｅｎｔｉｔｙ  Ｍｏｄｕｌｅ）カード４２５（オプション）、スピーカ４４５、及びマイク４５０から構成される。
【０１４０】
ユーザはキーパッド４２０のボタンを押すか、又はマイク４５０を使用した音声駆動により、電話番号のような指示情報を入力する。前記プロセッサ４１０は、前記指示情報を受信処理して、電話番号に電話をかけるような適当な機能を行う。ＳＩＭカード４２５又はメモリモジュール４３０が運用データを検索して前記機能を行う。また、前記プロセッサ４１０は、ユーザの参照や便宜のために、前記指示及び運用情報をディスプレイ４１５に表示することができる。さらに前記プロセッサ４１０は図９に示す方法を行うために備えられる。
【０１４１】
前記プロセッサ４１０は、指示情報を前記ＲＦモジュール４３５に送って、音声通信データを含む無線信号を転送するか、又は、前記のように、ＲＲＣ接続要求メッセージを転送することにより通信を開始する。前記ＲＦモジュール４３５は、無線信号を送受信するための受信器と送信器とから構成される。アンテナ４４０は、無線信号の送受信を容易にする。前記のように、ネットワークからＭＢＭＳ通知メッセージのような無線信号を受信すると、前記ＲＦモジュール４３５は、プロセッサ４１０による処理のために、前記信号をベースバンド周波数で転送及び変換する。前記処理された信号は、例えば、前記無線信号が着信呼の場合、前記スピーカ４４５から出力される聴取及び読出（ｒｅａｄａｂｌｅ）可能な情報にも変換することができる。
【０１４２】
図１１は本発明の好ましい実施形態によるＵＴＲＡＮ５２０のブロック図である。前記ＵＴＲＡＮ５２０は、少なくとも１つ以上の無線ネットワークサブシステム（ＲＮＳ）５２５で構成される。各ＲＮＳ５２５は、１つの無線ネットワーク制御装置（ＲＮＣ）５２３と、前記ＲＮＣにより管理される複数のＮｏｄｅ−Ｂ（基地局）５２１とを含む。前記ＲＮＣ５２３は、無線資源の割当及び管理を担当し、コアネットワーク３０へのアクセスポイントとして動作する。さらに前記ＲＮＣ５２３は図８に示す方法を行うために備えられる。
【０１４３】
前記Ｎｏｄｅ−Ｂ５２１は、アップリンクを介して端末４１０の物理層から転送された情報を受信し、ダウンリンクを介して端末にデータを転送する。前記Ｎｏｄｅ−Ｂ５２１は、端末４１０へのＵＴＲＡＮ５２０のアクセスポイント、又は送信器及び受信器として動作する。
【０１４４】
従来技術では、特定ＭＢＭＳにおいて、端末１０は、自分が位置しているセルの状態を把握することができなかった。本発明によると、システムは、前記特定ＭＢＭＳにおけるシステムの状態を端末４００に通知して、システムの状態情報によって動作させる。従って、端末４００が不要に動作することを防止することができ、不要なシグナリング及び無線資源の浪費を最小化することができる。
【０１４５】
特定サービスを受信する端末４００の場合、本発明は、システムから端末に特定サービスに関連した状態情報を受信させる通信システムを提供する。特に、ダウンリンクチャネルでブロードキャスト及び／又はマルチキャストサービスを受信する端末４００の場合、本発明は、端末が受信しようとする特定ブロードキャスト及び／又はマルチキャストサービスに関連した状態情報を位置領域内のＵＴＲＡＮ５２０から受信するシステムを提供する。前記端末４００は、自分が移動した新しい位置領域から特定ブロードキャスト及び／又はマルチキャストサービスを受信しようとする場合、ＵＴＲＡＮ５２０の状態を判断してそれによって動作する。
【０１４６】
本発明の実施形態は、プロセッサ、他のデータあるいはデジタル処理装置の単独形態、又は外付けのサポートロジック（ｅｘｔｅｒｎａｌ  ｓｕｐｐｏｒｔ  ｌｏｇｉｃ）と結合された形態によって容易に適用できるということは、当該技術分野における通常の知識を有する者であれば容易に理解することができる。
【０１４７】
本発明は、移動通信と関連して説明されたが、無線通信特性を備えたＰＤＡ及びラップトップコンピュータのような移動装置を使用する他の無線通信システムにも適用することができる。また、本発明を説明するために使用された特定用語は本発明の権利範囲をＵＭＴＳなどの特定無線通信システムに限定するものではない。本発明は、さらに、ＴＤＭＡ、ＣＤＭＡ、ＦＤＭＡ、ＷＣＤＭＡなどの他の無線インターフェース及び／又は他の物理層を使用する他の無線通信システムにも適用することができる。
【０１４８】
本実施形態は、ソフトウェア、ファームウェア、ハードウェア、又はこれらの組み合わせを生産するための標準プログラム及び／又はエンジニアリング技術を用いて製造方法、装置、及び製造物として実行することができる。ここで、「製造物」という用語は、ハードウェアロジック（例えば、集積回路チップ（Ｉｎｔｅｇｒａｔｅｄ  Ｃｉｒｃｕｉｔ  Ｃｈｉｐ）、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）、コンピュータ可読媒体（例えば、ハードディスクドライブ、フロッピー（登録商標）ディスク、テープなどの磁気記録媒体）、光記録装置（ＣＤ−ＲＯＭ、光ディスクなど）、及び揮発性／不揮発性メモリ装置（例えば、ＥＥＰＲＯＭ、ＲＯＭ、ＰＲＯＭ、ＲＡＭ、ＤＲＡＭ、ＳＲＡＭ、ファームウェア、プログラムロジックなど）において実行されるコードやロジックを示す。コンピュータ可読媒体内のコードはプロセッサにより接続及び実行される。本実施形態を実行するコードは伝送媒体を通じて、又はネットワーク上のファイルサーバから接続することもできる。その場合、前記コードが実行される製造物は、ネットワークライン、無線伝送媒体、空間を伝達される信号、無線波、赤外線信号などの伝送媒体を含む。もちろん、当該技術分野における通常の知識を有する者であれば、本発明の要旨を逸脱しない範囲においてこのような形態の多様な変形が可能であり、前記製造物が公知の情報伝達媒体（ｉｎｆｏｒｍａｔｉｏｎ  ｂｅａｒｉｎｇ  ｍｅｄｉｕｍ）も含むことができるという点を理解すると思われる。
【０１４９】
図面に示されたロジック実装（ｌｏｇｉｃ  ｉｍｐｌｅｍｅｎｔａｔｉｏｎ）は、特定順序に従った特定動作によって説明された。また、他の実施形態では、前記ロジック実装を他の順序にするか、その一部を変更又は削除して実行することができ、本発明の好ましい実施形態を実現することができる。また、前述したロジックに過程がさらに追加されて本発明によって実行することもできる。
【０１５０】
前述した実施形態と利点は本発明を制限するものでなく、単なる例示にすぎない。本発明は、他の形態の装置やシステムにも容易に適用することができる。本発明の説明は特許請求の範囲を制限するものでなく、単なる説明の便宜のためのものである。当該技術分野における通常の知識を有する者であれば多様な代案、変更、変形が可能であることを理解すると思われる。請求項において、ミーンズプラスファンクションクレーム（ｍｅａｎｓ−ｐｌｕｓ−ｆｕｎｃｔｉｏｎ  ｃｌａｕｓｅｓ）は列挙された機能を実行するものであり、ここに記載された構造、構造的同等物だけでなく均等な構造まで含む。
【図面の簡単な説明】
【０１５１】
【図１】一般的な３ＧＰＰ  ＵＭＴＳのネットワーク構造を示す図である。
【図２】一般的なＵＭＴＳネットワークの基本的な構造を示す図である。
【図３】特定ＭＢＭＳを提供する従来のＵＭＴＳネットワークのためのタイムラインを示す図である。
【図４】ＵＴＲＡＮが端末のＲＲＣ接続要求を受諾した場合の従来技術による過程を示す図である。
【図５】ＵＴＲＡＮが端末のＲＲＣ接続要求を拒否した場合の従来技術による過程を示す図である。
【図６】本発明の第１実施形態によるサービス準備状態の遷移を示す図である。
【図７】本発明の第２実施形態によるＭＢＭＳを提供するためのタイムラインを示す図である。
【図８】本発明の一実施形態によるネットワークがＭＢＭＳを提供するための方法を示す図である。
【図９】本発明の一実施形態による端末がＭＢＭＳを受信するための方法を示す図である。
【図１０】本発明の一実施形態によるＭＢＭＳを受信するための端末を示す図である。
【図１１】本発明の一実施形態によるＭＢＭＳを提供するためのネットワークを示す図である。
【図１】
2006526352.tif 000005
【図２】
2006526352.tif 000006
【図３】
2006526352.tif 000007
【図４】
2006526352.tif 000008
【図５】
2006526352.tif 000009
【図６】
2006526352.tif 000010
【図７】
2006526352.tif 000011
【図８】
2006526352.tif 000012
【図９】
2006526352.tif 000013
【図１０】
2006526352.tif 000014
【図１１】
2006526352.tif 000015
【国際調査報告】
2006526352.tif 000016
2006526352.tif 000017